(57)【特許請求の範囲】
【請求項１】
本体上面に上方吹出し口、本体左右両側面に側方吹出し口を有する室内空気調和機であって、冷房運転時にあっては、左側方吹出し口からの吹出し風量と上方吹出し口からの吹出し風量と右側方吹出し口からの吹出し風量との比が１：２：１〜１：４：１とされていることを特徴とする室内空気調和機。
【請求項２】
両側方吹出し口からの空気吹出し角度が−２０°以下にならないようにされていることを特徴とする請求項１記載の室内空気調和機。
【発明の詳細な説明】
【０００２】
【発明の属する技術分野】
【０００３】
本願発明は、室内に設置される室内空気調和機に関し、さらに詳しくは、上方吹出し口と側方吹出し口とを有する室内空気調和機に関するものである。
【従来の技術】
【０００４】
室内空気調和機によって室内を冷房（又は暖房）しようとする場合に、室内全体を均一温度になるようにする試みが種々なされているが、未だ十分に満足し得る段階には至っていない。
【０００５】
従来例にみられる上記試みの一例として、たとえば、本願出願人の先出願にかかる特開２０００−３４６３９２号公報がある。この先願発明は、室内空気調和機本体の上方と側方から空気吹出しを行うことにより、壁際や窓際などでの局所的温度不均一を緩和するとともに、室内の上下温度差を小さくしようとするものである。
【発明が解決しようとする課題】
【０００６】
本願発明は、上方吹出し口と側方吹出し口をもつ形式の室内空気調和機においてその上方及び側方へ吹き出される空気の吹出し風量を制御するという新しい視点に立って、特に室内の冷房時における温度不均一の問題を改善し、もって可及的に快適な空調環境を提供しようとしてなされたものである。
【課題を解決するための手段】
【０００７】
本願発明の室内空気調和機は、図１に例示するように、本体の上面１２と一方又は両方の側面（１３・１４）に空気吹出し口（２２・２３・２４）をそなえており、冷房運転に合わせて、上方吹出し口２２と側方吹出し口（２３・２４）からの吹出し風量を制御する風量制御手段をそなえていることを基本構成とする。
【０００８】
吹出し風量を制御する手段としては、空気吹出し口の通路面積を増減するスイングフラップやシャッター（３２・３３）等がある。
【０００９】
本願発明は、室内空気調和機における上方吹出し口と側方吹出し口からの吹出し風量を制御することにより、室内の冷房時における温度不均一を改善し、もって可及的に快適な空調環境を提供しようとするものであるが、空調環境の快適度の指標として、ＩＳＯ規格にもとりあげられている「ＰＭＶ指標（予測平均申告）」と「ＰＰＤ指標（予測不満足率）」という２つの指標を使用する。
【００１０】
ＰＭＶ指標（予測平均申告）というのは、温度・湿度・気流・輻射の環境側の４つの要素と代謝量・着衣量の人体側の２要素とを要素とする指標で、ＰＭＶ指標が＋３のときは「暑い」、＋２では「暖かい」、＋１では「やや暖かい」、±０では「どちらでもない」、−１では「やや涼しい」、−２では「涼しい」、−３では「寒い」といった温熱感覚に対応する。ＩＳＯ規格においては、ＰＭＶ指標が「−０．５から＋０．５の範囲」にあることが推奨されており、本願発明でも、好ましいＰＭＶ指標としてこの「−０．５から＋０．５の範囲」を採用した。
【００１１】
一方、ＰＰＤ指標（予測不満足率）とは、「ある環境に滞在している人々の熱的に不満足に感じる割合を、定量的に予測する指標」であり、ＩＳＯ規格では、人が居住する環境においては、快適性のためにＰＰＤ指標が１０％以下であることが望ましいとされている。
【００１２】
本願発明では、冷房運転時における上方と側方の吹出し風量比を規定するに際しては、後述する「ＰＭＶ快適域占有率」を使用し、同冷房運転時における側方吹出し風の吹出し角度を規定するに際しては、「上下温度差」を使用した。
【００１３】
なお、参考のために述べると、暖房運転時における上方と側方の吹出し風量比及び側方吹出し風の吹出し角度を規定するに際しては「ＰＰＤ指標」が使用される。
【００１４】
ここで、「ＰＭＶ快適域占有率」とは、「空調空間（室内）のうち、ＰＭＶ指標が−０．５から＋０．５となる領域（快適領域）の割合」のことである。
【００１５】
以上のことを前提として、以下、本願発明の室内空気調和機における上方及び側方からの吹出し風量の制御の態様について説明する。
【００１６】
冷房運転時
図２は、冷房運転時における上方吹出し風と側方吹出し風の風量比を規定するためのグラフで、側方吹出し風量を１としたときの上方吹出し風量の変化と、ＰＭＶ快適域占有率の変化との関係を示している。
【００１７】
このグラフによれば、上方吹出し風量：側方吹出し風量の比が１：１から４：１に至る間、ＰＭＶ快適域占有率が上昇し、その後下降する傾向がみられる。
【００１８】
本願発明では、このグラフの結果およびＰＭＶ快適域占有率が９０％となるラジエータ空調時と対比して、上記吹出し風量比が２：１〜４：１の範囲を好適な範囲として採用した。
【００１９】
これを図示の例で説明すると、冷房運転時は、図４に例示するように、上方吹出し口からの吹出し風量ＵＣが一方又は両方の側方吹出し口からの吹出し風量（ＳＣ1・ＳＣ2）よりも大きくなるように風量制御手段を作用させる。
【００２０】
上方吹出し口からの吹出し風量ＵＣと側方吹出し口から吹出し風量（ＳＣ1・ＳＣ2）の比（風量比）は、側方吹出し風（Ｓ1・Ｓ2）が左右両側の側方吹出し口（２３・２４）から吹き出される場合（図４）は、ＳＣ1：ＵＣ：ＳＣ2＝１：２：１〜１：４：１の範囲が好適である。
【００２１】
図５は、冷房運転時における側方吹出し風の吹出し角度を規定するためのグラフで、側方吹出し角度の変化と空調空間での上下温度差との関係を示している。
【００２２】
本願発明では、冷房運転時における空調空間での上下温度差が１．５℃をこえない範囲（側方吹出し角度が−２０°以下にならない範囲）を好適な範囲として採用した。
【００２３】
又、冷房運転時においては、床面付近での空気温度が過度に低下しないようにするために、風量制御手段は、側方吹出し口（２３・２４）からの空気吹出しが閉止され、上方吹出し口からのみ空気吹出しが行われるように空気の吹出しを制御することのできる機能をそなえていることが好ましい。
【００２４】
図６は、参考例として示すものであり、暖房運転時における上方吹出し風と側方吹出し風の風量比を規定するためのグラフで、上方吹出し風量を１としたときの側方吹出し風量の変化とＰＰＤ指標の変化との関係を示している。
【００２５】
このグラフによれば、上方吹出し風量：側方吹出し風量の比が約１：１のときをＰＰＤ指標の最小値として側方吹出し風量が増大するにつれてＰＰＤ指標が増大する。
【００２６】
この参考例では、ラジエータ暖房時におけるＰＰＤ指標（全域平均で７．１１）よりＰＰＤ指標を改善する、という観点から上方吹出し風量：側方吹出し風量の比が１：１〜１：２の範囲（ＰＰＤ指標で約６．７以下）を好適な範囲として採用している。
【００２７】
これを、図示の参考例で説明すると、暖房運転時は、図７、図８に例示するように、側方吹出し口からの吹出し風量（ＳＷ1・ＳＷ2）が上方吹出し口からの吹出し風量（ＵＷ）と同じかあるいは上方吹出し口からの吹出し風量（ＵＷ）よりも大きくなるように風量制御手段を作用させている。
【００２８】
上方吹出し口からの吹出し風量（ＵＷ）と側方吹出し口からの吹出し風量（ＳＷ1・ＳＷ2）との比（風量比）は、側方吹出し風が本体の一方の側面にある側方吹出し口から吹き出される場合（図７）においては、ＵＷ：ＳＷ1（又はＳＷ2）は１：２〜１：１の範囲が好適である。又、側方吹出し口が本体の左右両側面にある場合（図８）は、左側方吹出し口からの吹出し風量ＳＷ1と上方吹出し口からの吹出し風量ＵＷと右側方吹出し口からの吹出し風量ＳＷ2の比（風量比）は、２：１：２〜１：１：１の範囲が好適である。
【００２９】
図９は、暖房運転時における側方吹出し風の吹出し角度を規定するためのグラフで、側方吹出し風（Ｓ1，Ｓ2）の吹出し角度とＰＰＤ指標との関係を示している。
【００３０】
このグラフによれば、側方吹出し風（Ｓ1，Ｓ2）の吹出し角度が上向きになる程、ＰＰＤ指標が増大し、水平（０°）より上方になると、ＰＰＤ指標が約６．７のレベルをこえるようになる。
【００３１】
この参考例では、このＰＰＤ指標からみて、側方吹出し風（Ｓ1，Ｓ2）の吹出し角度は水平（０°）を上限として、それより上方にならないようにしている。
【発明の実施の形態】
【００３２】
続いて本願発明の実施の形態について説明すると、図１には、床置き型室内空気調和機１を窓３の直下に設置した例を示している。このように室内空気調和機１を窓際に設置した場合は、厳寒期における窓際周辺の局所的温度低下に対して、特に良好な暖房効果（コールドドラフト改善効果）が得られる。
【００３３】
この室内空気調和機１は、本体前面１１に吸込口２１、本体上面１２に上方吹出し口２２、両側面１３，１４に側方吹出し口２３，２４を形成し、上方吹出し口２２と側方吹出し口２３，２４にはそれぞれ吹出し風の風量と吹出し角度を制御するためのスイングフラップ又はシャッター（３２，３３）を設けている。
【００３４】
なお、テスト解析の結果では、冷房運転時（図４）には、側方吹出し風の吹出し角度（Ｓ1，Ｓ2）が上向きになる程、又、上方吹出し風の風量が多い程、上下温度差が小さく、且つＰＭＶ快適域占有率が高くなる傾向があった。
【００３５】
図４の使用形態（冷房運転時）では、風量比ＳＣ1：ＵＣ：ＳＣ2＝１：４：１〜１：２：１とし、側方吹出し口２３，２４のスイングフラップ（又はシャッター）３２，３３は、吹出し角度が−２０°〜＋４５°の範囲になるように開閉制御される。なお、床面付近が過度に温度低下するようになる場合には、側方吹出し口２３，２４のスイングフラップ（又はシャッター）３２，３３は全閉することもできるようになっている。
【００３６】
次に、参考のために、この室内空気調和機の暖房運転時における使用形態について説明すると、暖房運転時においては、側方吹出し風量（ＳＷ1，ＳＷ2）と上方吹出し風量（ＵＷ）との比は既述の通り２：１〜１：１（図７の場合）又は２：１：２〜１：１：１（図８の場合）とされる。なお、図示の参考例の場合、暖房運転時における側方吹出し角度は、０°（水平）〜−４５°の範囲がよい。
【発明の効果】
【００３７】
本願発明は、上方吹出し口と側方吹出し口とを有する室内空気調和機において、冷房運転時に、最適な側方・上方吹出し風量比を設定するものであり、それによって従来よりも温度不均一の改善された空調空間を現出し得る効果を奏するものである。
【図面の簡単な説明】
【００３８】
【図１】本願発明の実施例にかかる室内空気調和機の斜視図。
【図２】冷房運転時において、側方吹出し風量を１としたときの上方吹出し風量の変化とＰＭＶ快適域占有率の変化との関係を示すグラフ。
【図３】冷房運転時に、一方の側方吹出し口からのみ側方吹出し風を吹き出す場合の状態図。
【図４】冷房運転時に、両方の側方吹出し口から側方吹出し風を吹き出す場合の状態図。
【図５】冷房運転時における、側方吹出し角度と室内上下温度差との関係を示すグラフ。
【図６】暖房運転時において、上方吹出し風量を１としたときの側方吹出し風量の変化とＰＰＤ値の変化との関係を示すグラフ。
【図７】暖房運転時に、一方の側方吹出し口からのみ側方吹出し風を吹き出す場合の状態図。
【図８】暖房運転時に、両方の側方吹出し口から側方吹出し風を吹き出す場合の状態図。
【図９】暖房運転時における、側方吹出し角度とＰＰＤ値との関係を示すグラフ。
【符号の説明】
【００３９】
１は室内空気調和機、２は壁面、３は窓、４は床面、５は側方壁面、１２は本体上面、１３・１４は本体側面、２１は空気吸込み口、２２は上方吹出し口、２３・２４は側方吹出し口、３２・３３はスイングフラップ又はシャッター、Ｕは上方吹出し風、Ｓ1・Ｓ2は側方吹出し風、ＵＣは冷房時上方吹出し風量、ＳＣ1・ＳＣ2は冷房時側方吹出し風量、ＵＷは暖房時上方吹出し風量、ＳＷ1・ＳＷ2は暖房時側方吹出し風量である。
【図１】
0003624837.tif 000002
【図２】
0003624837.tif 000003
【図３】
0003624837.tif 000004
【図４】
0003624837.tif 000005
【図５】
0003624837.tif 000006
【図６】
0003624837.tif 000007
【図７】
0003624837.tif 000008
【図８】
0003624837.tif 000009
【図９】
0003624837.tif 000010